(57)【要約】【課題】扉の前方へのせり出しをできるだけなくし得て、せり出しに起因する事故等の不都合をなくし、扉内の利用空間を広くでき、更に、主アームと補助アームとを交差させることなく扉の開閉動作を行うことができ、而して、扉のより確実な開閉動作を行い得る跳ね上げ式門扉を提供すること。【解決手段】跳ね上げ式門扉１は、支柱２と、支柱２に回動自在に支持された主アーム８と、主アーム８に回動自在に取り付けられた扉１１と、主アーム８に回動自在に連結された連結部材１６と、扉１１に回動自在に連結されていると共に連結部材１６が回動自在に連結された補助アーム２１と、連結部材１６と補助アーム２１とを支柱２に回動自在であって、傾斜方向Ｑに可動に連結すると共に、他端部２３の傾斜方向Ｑの移動を案内する連結案内手段２６とを具備している。【選択図】　　　図１
2004108075.tif 000002
【特許請求の範囲】
【請求項１】
支柱と、この支柱に一端部で鉛直面内で回動自在に支持された主アームと、この主アームの他端部に鉛直面内で回動自在に取り付けられた扉と、主アームにおける一端部と他端部との間に一端部で鉛直面内で回動自在に連結された連結部材と、扉に一端部で鉛直面内で回動自在に連結されていると共に連結部材が鉛直面内で回動自在に連結された補助アームと、連結部材の他端部と補助アームの他端部とのうちの少なくとも一方の他端部を支柱に鉛直面内で回動自在であって上下方向に可動に連結すると共に、当該一方の他端部の上下方向の移動を案内する連結案内手段とを具備しており、扉の完全閉鎖位置で、一方の他端部の支柱に対する回動軸心は、主アームの支柱に対する回動軸心よりも扉側に配されている跳ね上げ式門扉。
【請求項２】
連結案内手段は、連結部材の他端部及び補助アームの他端部のうちの少なくとも一方の他端部を支柱に鉛直方向に可動に連結すると共に、当該一方の他端部の鉛直方向の移動を案内するようになっている請求項１に記載の跳ね上げ式門扉。
【請求項３】
連結案内手段は、完全開放位置に向かう扉の移動に従って、連結部材の他端部及び補助アームの他端部のうちの少なくとも一方の他端部を主アームの一端部側に後退させるように、当該一方の他端部を鉛直方向に対して傾斜方向に可動に連結すると共に、当該一方の他端部の傾斜方向の移動を案内するようになっている請求項１に記載の跳ね上げ式門扉。
【請求項４】
扉の完全閉鎖位置で、主アームの支柱に対する鉛直面内での回動軸心と連結部材の主アームに対する鉛直面内での回動軸心とを結ぶ直線は、主アームの支柱に対する鉛直面内での回動軸心を通る水平面に対して俯角をなして伸びており、補助アームの扉に対する鉛直面内での回動軸心と補助アームの連結部材に対する鉛直面内での回動軸心とを結ぶ直線は、補助アームの連結部材に対する鉛直面内での回動軸心を通る水平面に対して俯角をなして伸びており、連結部材の主アームに対する鉛直面内での回動軸心と補助アームの連結部材に対する鉛直面内での回動軸心とを結ぶ直線は、補助アームの連結部材に対する鉛直面内での回動軸心を通る水平面に対して仰角をなして伸びている請求項１から３のいずれか一項に記載の跳ね上げ式門扉。
【請求項５】
連結部材と補助アームとは、それらの他端部同士で互いに鉛直面内で回動自在に連結されている請求項１から４のいずれか一項に記載の跳ね上げ式門扉。
【請求項６】
連結案内手段は、支柱に設けられていると共に、上下方向に伸びた案内部材を具備しており、案内部材は、補助アームの他端部及び連結部材の他端部のうちの少なくとも一方の他端部の上下方向の移動を案内している請求項１から５のいずれか一項に記載の跳ね上げ式門扉。
【請求項７】
案内部材は、支柱に固着されていると共に、上下方向に伸びた長尺の中空直方体と、中空直方体の一対の内側面及び底面により規定された上下方向に伸びた案内路と、内側面間において中空直方体に設けられていると共に案内路と中空直方体の外部とを連通するスリットとを具備している請求項６に記載の跳ね上げ式門扉。
【請求項８】
連結案内手段は、補助アームの他端部及び連結部材の他端部のうちの少なくとも一方の他端部に回転自在に取り付けられていると共に、案内部材に沿って可動な可動手段を具備しており、可動手段は、案内部材の中空直方体を間にして互いに対向して配されていると共に、当該中空直方体の外側面に回転自在に夫々当接している少なくとも一対のローラと、案内部材のスリットを介して案内路に配されて中空直方体の底面に回転自在に当接している少なくとも一つのローラとを具備している請求項７に記載の跳ね上げ式門扉。
【請求項９】
可動手段は、各ローラを夫々回転自在に支持していると共に、補助アームの他端部及び連結部材の他端部のうちの少なくとも一方の他端部に回転自在に連結されている支持連結部材を具備している請求項８に記載の跳ね上げ式門扉。
【発明の詳細な説明】
【０００１】
【発明の属する技術分野】
本発明は、車庫等の出入口に用いて好適な跳ね上げ式門扉に関する。
【０００２】
【従来の技術】
この種の門扉としては、例えば、支柱と、この支柱に一端部で鉛直面内で回動自在に支持されたアームと、このアームの他端部に取り付けられた扉とを具備したものが知られている。
【０００３】
【特許文献１】
特開平７−２７９５６４号公報
【０００４】
【発明が解決しようとする課題】
ところで、この種の跳ね上げ式門扉では、扉の開閉時に扉自体が前方にせり出し、このせり出し分を考慮して扉の開閉を行わないと思わぬ事故を招く虞がある上に、せり出しにより扉の開閉が邪魔されて扉の開閉操作性が極めて悪く、また、せり出し分を考慮して設置すると扉内の利用空間が狭くなるという問題を有している。
【０００５】
本発明は、前記諸点に鑑みてなされたものであって、その目的とするところは、扉の前方へのせり出しをできるだけなくし得て、せり出しに起因する事故等の不都合をなくし、扉内の利用空間を広くでき、更に、主アームと補助アームとを交差させることなく扉の開閉動作を行うことができ、而して、扉のより確実な開閉動作を行い得る跳ね上げ式門扉を提供することにある。
【０００６】
【課題を解決するための手段】
本発明の第一の態様の跳ね上げ式門扉は、支柱と、この支柱に一端部で鉛直面内で回動自在に支持された主アームと、この主アームの他端部に鉛直面内で回動自在に取り付けられた扉と、主アームにおける一端部と他端部との間に一端部で鉛直面内で回動自在に連結された連結部材と、扉に一端部で鉛直面内で回動自在に連結されていると共に連結部材が鉛直面内で回動自在に連結された補助アームと、連結部材の他端部と補助アームの他端部とのうちの少なくとも一方の他端部を支柱に鉛直面内で回動自在であって上下方向に可動に連結すると共に、当該一方の他端部の上下方向の移動を案内する連結案内手段とを具備しており、扉の完全閉鎖位置で、一方の他端部の支柱に対する回動軸心は、主アームの支柱に対する回動軸心よりも扉側に配されている。
【０００７】
第一の態様の跳ね上げ式門扉によれば、主アームにおける一端部と他端部との間に一端部で鉛直面内で回動自在に連結された連結部材と、扉に一端部で鉛直面内で回動自在に連結されている補助アームとが鉛直面内で回動自在に連結されて、連結案内手段を介して連結部材の他端部と補助アームの他端部とのうちの少なくとも一方の他端部が支柱に鉛直面内で回動自在であって上下方向に可動に連結されていると共に、上下方向の移動を案内されるようになっているため、例えば、完全閉鎖位置からの扉の開放において主アームが回動されると、それに連れて連結部材が回動されながら主アームに引きずられる結果、補助アーム全体が支柱側に若干引き寄せられて、扉の下端のせり出しをなくす方向に扉が回動され、而して、扉の前方へのせり出しをできるだけなくし得て、せり出しに起因する事故、操作性の劣化等の不都合をなくし、扉内の利用空間を広くでき、更に、扉の完全閉鎖位置で、一方の他端部の支柱に対する回動軸心が主アームの支柱に対する回動軸心よりも扉側に配されているため、主アームと補助アームとを交差させることなく扉の開閉動作を行うことができ、而して、扉のより確実な開閉動作を行い得る。
【０００８】
本発明の第二の態様の跳ね上げ式門扉では、本発明の第一の態様の跳ね上げ式門扉において、連結案内手段は、連結部材の他端部及び補助アームの他端部のうちの少なくとも一方の他端部を支柱に鉛直方向に可動に連結すると共に、当該一方の他端部の鉛直方向の移動を案内するようになっている。
【０００９】
本発明の第三の態様の跳ね上げ式門扉では、本発明の第一の態様の跳ね上げ式門扉において、連結案内手段は、完全開放位置に向かう扉の移動に従って、連結部材の他端部及び補助アームの他端部のうちの少なくとも一方の他端部を主アームの一端部側に後退させるように、当該一方の他端部を鉛直方向に対して傾斜方向に可動に連結すると共に、当該一方の他端部の傾斜方向の移動を案内するようになっている。
【００１０】
第三の態様の跳ね上げ式門扉によれば、扉の開閉において主アームと補助アームとを互いにほぼ平行な状態を維持して回動させ得る結果、主アームと補助アーム間への異物の噛み込みによる動作停止等を回避できる上に、せり出しも好ましく少なくし得る。
【００１１】
本発明の第四の態様の跳ね上げ式門扉では、本発明の第一から第三のいずれかの態様の跳ね上げ式門扉において、扉の完全閉鎖位置で、主アームの支柱に対する鉛直面内での回動軸心と連結部材の主アームに対する鉛直面内での回動軸心とを結ぶ直線は、主アームの支柱に対する鉛直面内での回動軸心を通る水平面に対して俯角をなして伸びており、補助アームの扉に対する鉛直面内での回動軸心と補助アームの連結部材に対する鉛直面内での回動軸心とを結ぶ直線は、補助アームの連結部材に対する鉛直面内での回動軸心を通る水平面に対して俯角をなして伸びており、連結部材の主アームに対する鉛直面内での回動軸心と補助アームの連結部材に対する鉛直面内での回動軸心とを結ぶ直線は、補助アームの連結部材に対する鉛直面内での回動軸心を通る水平面に対して仰角をなして伸びている。
【００１２】
本発明の第五の態様の跳ね上げ式門扉では、本発明の第一から第四のいずれかの態様の跳ね上げ式門扉において、連結部材と補助アームとは、それらの他端部同士で互いに鉛直面内で回動自在に連結されている。
【００１３】
本発明の第六の態様の跳ね上げ式門扉では、本発明の第一から第五のいずれかの態様の跳ね上げ式門扉において、連結案内手段は、支柱に設けられていると共に、上下方向に伸びた案内部材を具備しており、案内部材は、補助アームの他端部及び連結部材の他端部のうちの少なくとも一方の他端部の上下方向の移動を案内している。
【００１４】
本発明の第七の態様の跳ね上げ式門扉では、本発明の第六の態様の跳ね上げ式門扉において、案内部材は、支柱に固着されていると共に、上下方向に伸びた長尺の中空直方体と、中空直方体の一対の内側面及び底面により規定された上下方向に伸びた案内路と、内側面間において中空直方体に設けられていると共に案内路と中空直方体の外部とを連通するスリットとを具備している。
【００１５】
本発明の第八の態様の跳ね上げ式門扉では、本発明の第七の態様の跳ね上げ式門扉において、連結案内手段は、補助アームの他端部及び連結部材の他端部のうちの少なくとも一方の他端部に回転自在に取り付けられていると共に、案内部材に沿って可動な可動手段を具備しており、可動手段は、案内部材の中空直方体を間にして互いに対向して配されていると共に、当該中空直方体の外側面に回転自在に夫々当接している少なくとも一対のローラと、案内部材のスリットを介して案内路に配されて中空直方体の底面に回転自在に当接している少なくとも一つのローラとを具備している。
【００１６】
第八の態様の跳ね上げ式門扉によれば、ローラの転がり接触により一方の端部の上下方向の移動案内を滑らかに行うことができ、騒音の少ない扉開閉を行い得る。
【００１７】
本発明の第九の態様の跳ね上げ式門扉では、本発明の第八の態様の跳ね上げ式門扉において、可動手段は、各ローラを夫々回転自在に支持していると共に、補助アームの他端部及び連結部材の他端部のうちの少なくとも一方の他端部に回転自在に連結されている支持連結部材を具備している。
【００１８】
本発明においては、連結案内手段を上述のように案内部材を具備して構成する代わりに、支柱に一体に突起、凹所等を設けて連結案内手段を構成してもよい。
【００１９】
次に本発明の実施の形態を、図に示す好ましい例に基づいて更に詳細に説明する。なお、本発明はこれら例に何等限定されないのである。
【００２０】
【発明の実施の形態】
図１から図６において、本例の跳ね上げ式門扉１は、立設された一対の中空の角形の支柱２及び３と、支柱２及び３に一端部４（支柱３側は図示せず）で軸部材６（支柱３側は図示せず）を介して鉛直面内でＡ及びＢ方向に回動自在に支持された角材からなる主アーム８及び９と、主アーム８及び９の他端部１０（支柱３側は図示せず）に軸部材１２（支柱３側は図示せず）を介して鉛直面内でＣ及びＤ方向に回動自在に取り付けられた扉１１と、主アーム８及び９における一端部４と他端部１０との間に一端部１３及び１４で軸部材１５（支柱３側は図示せず）を介して鉛直面内でＥ及びＦ方向に回動自在に連結されている角材からなる連結部材１６及び１７と、扉１１に一端部１８（支柱３側は図示せず）で軸部材２０（支柱３側は図示せず）を介して鉛直面内でＧ及びＨ方向に回動自在に連結されていると共に連結部材１６及び１７が軸部材３５（支柱３側は図示せず）を介して鉛直面内でＪ及びＫ方向に回動自在に連結された角材からなる補助アーム２１及び２２と、連結部材１６及び１７の他端部２３（支柱３側は図示せず）と補助アーム２１及び２２の他端部２４（支柱３側は図示せず）とのうちの少なくとも一方の他端部、本例では両他端部２３及び２４を支柱２及び３に鉛直面内でＪ及びＫ方向に回動自在であって、上下方向、本例では鉛直方向に対して傾斜する傾斜方向Ｑに可動に連結すると共に、両他端部２３及び２４の傾斜方向Ｑの移動を案内する連結案内手段２６（支柱３側は図示せず）と、主アーム８及び９をＡ及びＢ方向に回動させる回動力を付与する回動力付与手段２９及び３０とを具備しており、扉１１の完全閉鎖位置（図２に示す位置）で、補助アーム２１及び２２の支柱２及び３に対する夫々の鉛直面内でのＪ及びＫ方向の回動軸心Ｘ１（軸部材３５の軸心）は、主アーム８及び９の支柱２及び３に対する夫々の鉛直面内でのＡ及びＢ方向の回動軸心Ｘ２（軸部材６の軸心）よりも扉１１側に配されている。
【００２１】
扉１１は、上枠２８と、縦枠４１及び４２と、縦枠４１及び４２を橋絡した目隠し用の多数の横格子４３と、下枠４４と、縦枠４１及び４２の夫々の下面に取り付けられたストッパ４５及び４６と、縦枠４１及び４２に固着されたブラケット４７（支柱３側は図示せず）とを具備している。ブラケット４７には、軸部材１２及び２０が取り付けられている。尚、扉１１としては、横格子４３を具備したものに限定されず、縦格子を取り付けたもの等その他のものであってもよい。
【００２２】
本例では、支柱２側と支柱３側とは、互いに同様に構成されているので、以下、支柱２側について説明する。
【００２３】
連結部材１６と補助アーム２１とは、その夫々の他端部２３及び２４同士で軸部材３５を介して互いに鉛直面内でＪ及びＫ方向に回動自在に連結されている。
【００２４】
完全開放位置に向かう扉１１の移動に従って、すなわち主アーム８のＡ方向の回動に従って、他端部２３及び２４を主アーム８の一端部４側に後退させる連結案内手段２６は、支柱２にブラケット５０を介して固着されていると共に、上端が下端よりも主アーム８の一端部４側に位置するように傾斜方向Ｑに伸びた案内部材５１と、軸部材３５を介して他端部２３及び２４に回転自在に取り付けられていると共に、案内部材５１に沿って可動な可動手段５３とを具備している。
【００２５】
案内部材５１は、本例では、特に図５に示すように、壁部５４でブラケット５０に固着されていると共に傾斜方向Ｑに伸びた長尺の中空直方体５５と、中空直方体５５の一対の内側面５８及び底面５９により規定された傾斜方向Ｑに伸びた案内路５２と、一対の内側面５８間において中空直方体５５に設けられていると共に案内路５２と中空直方体５５外部とを連通するスリット５７と、中空直方体５５の下方に設けられていると共に、可動手段５３の必要以上の下方への移動を阻止する阻止部材（図示せず）とを具備している。
【００２６】
可動手段５３は、本例では、特に図６に示すように、案内部材５１の中空直方体５５を間にして互いに対向して配されていると共に、中空直方体５５の外側面７１及び７２に夫々回転自在に当接している二対のローラ６０及び６１と、スリット５７を介して案内路５２に配されて直方体５５の底面５９に回転自在に当接しているローラ６２及び６３と、ローラ６０、６１、６２及び６３を夫々回転自在に支持していると共に、軸部材３５を介して他端部２３及び２４に回転自在に連結されている支持連結部材６４とを具備している。
【００２７】
本例では、ストッパ４５及び４６が地面６５に当接して、扉１１が地面６５に直立した扉１１の完全閉鎖位置（図２に示す位置）で、主アーム８の回動軸心Ｘ２と連結部材１６の鉛直面内でのＥ及びＦ方向の回動軸心Ｘ３（軸部材１５の軸心）とを結ぶ直線は、回動軸心Ｘ２を通る水平面に対して俯角αをなして伸びており、補助アーム２１の扉１１に対する鉛直面内でのＧ及びＨ方向の回動軸心Ｘ４（軸部材２０の軸心）と補助アーム２１の回動軸心Ｘ１とを結ぶ直線は、回動軸心Ｘ１を通る水平面に対して俯角βをなして伸びており、回動軸心Ｘ３と回動軸心Ｘ１とを結ぶ直線は、回動軸心Ｘ１を通る水平面に対して仰角γをなして伸びており、扉１１に対する主アーム８の鉛直面内でのＣ及びＤ方向の回動軸心Ｘ５（軸部材１２の軸心）と回動軸心Ｘ２との間の距離は、回動軸心Ｘ４と回動軸心Ｘ１との間の距離よりも長く、主アーム８と補助アーム２１とは、側面から見て、ほぼ互いに平行に伸びるようになっており、扉１１の完全閉鎖位置（図２に示す位置）からほぼ１５°までの主アーム８のＡ方向の回動による扉１１の開放においては、扉１１の下端８１は、支柱２側に近接するようになっている。
【００２８】
回動力付与手段２９は、軸部材６に歯車機構（図示せず）を介して連結された出力回転軸を有した電動モータ（図示せず）と、主アーム８及び補助アーム２１等の重量に基づくＢ方向の回転モーメントに抗するＡ方向の回動力を主アーム８に付与して扉１１の開放を容易にすると共に、扉１１の中途開放及び完全開放を維持するバランサ（図示せず）とを具備しており、当該電動モータは、その出力回転軸の回転により主アーム８をＡ及びＢ方向に回動させるようになっており、当該バランサは、ばね、重錘、ガススプリング等からなり、軸部材６に連結されている。尚、回動力付与手段２９の電動モータ及びバランサは夫々支柱２に設けられたハウジング８０内に収納されている。
【００２９】
回動力付与手段２９は、上記電動モータに代えて又は加えて、軸部材６に取り付け及び取り外し自在な手動ハンドルを具備していてもよく、当該手動ハンドルを操作することにより主アーム８をＡ及びＢ方向に回動させるようになっていてもよい。
【００３０】
以上の跳ね上げ式門扉１では、扉１１の完全閉鎖位置では図２に示すようにストッパ４５が地面６５に当接して、しかも、扉１１が地面６５にほぼ直立した状態になる。この状態で、回動力付与手段２９の電動モータにより軸部材６を介して主アーム８がＡ方向に回動されると、主アーム８に軸部材１５を介して一端部１４が連結された連結部材１６は、主アーム８に対してＦ方向に回動されながら主アーム８に引きずられる結果、連結部材１６の他端部２３は、ローラ６０、６１、６２及び６３の回転を介して案内部材５１に傾斜方向Ｑに案内されて上昇され、この上昇で補助アーム２１は全体として支柱２側に少し引っ張られ、この引っ張りにより扉１１は主アーム８の他端部１０に対してＤ方向に回動され、従って、扉１１は、その下端８１が図７の軌跡ａ−ｂ−ｃで示すように前方にせり出すことなしに、地面６５にほぼ直立した状態をもって上昇し、完全閉鎖位置（図２に示す位置）からほぼ１５°まで主アーム８がＡ方向に回動された後は、主アーム８のＡ方向の回動と共に扉１１は、その下端８１が若干前方にせり出しつつ図７に示す軌跡ｃ−ｄ−ｅ−ｆをもって上昇する。
【００３１】
扉１１を完全開放状態から完全閉鎖状態にするには、回動力付与手段２９の電動モータにより軸部材６を介して主アーム８をＢ方向に回動すればよい。扉１１の完全閉鎖位置への移動でも、扉１１は、その下端８１が図７に示す軌跡ｆ−ｅ−ｄ−ｃ−ｂ−ａをもって下降する。
【００３２】
このように跳ね上げ式門扉１では、扉１１の開放において扉１１の下端８１のせり出しをなくす方向に扉１１が回動され、而して、扉１１の前方へのせり出しをできるだけなくし得て、せり出しに起因する事故、操作性の劣化等の不都合をなくし、扉内の利用空間を広くでき、更に、主アーム８及び９と補助アーム２１及び２２とを夫々交差させることなく、扉１１の開閉動作を行うことができる。
【００３３】
尚、本例の跳ね上げ式門扉１では、連結部材１６の他端部２３と補助アーム２１の他端部２４とを共通の軸部材３５により相互に回動自在に連結し、軸部材３５に可動手段５３を設けて、これにより連結部材１６の他端部２３と補助アーム２１の他端部２４とを連結案内手段２６を介して支柱２に連結したが、これに代えて、連結部材１６の他端部２３のみを軸部材３５及び連結案内手段２６を介して支柱２に直接的に連結し、補助アーム２１の他端部２４を連結部材１６に他の軸部材を介して相互に回動自在に連結してもよく、また、補助アーム２１の他端部２４のみを軸部材３５及び連結案内手段２６を介して支柱２に直接的に連結し、連結部材１６の他端部２３を補助アーム２１に他の軸部材を介して相互に回動自在に連結してもよい。
【００３４】
また、本例の跳ね上げ式門扉１では、連結案内手段２６に代えて、両他端部２３及び２４を支柱２及び３に鉛直面内でＪ及びＫ方向に回動自在であって鉛直方向Ｖに可動に連結すると共に、両他端部２３及び２４の鉛直方向Ｖの移動を案内する連結案内手段を具備していてもよい。
【００３５】
【発明の効果】
本発明によれば、扉の前方へのせり出しをできるだけなくし得て、せり出しに起因する事故等の不都合をなくし、扉内の利用空間を広くでき、更に、主アームと補助アームとを交差させることなく扉の開閉動作を行うことができ、而して、扉のより確実な開閉動作を行い得る跳ね上げ式門扉を提供し得る。
【図面の簡単な説明】
【図１】本発明の実施の形態の好ましい例の斜視図である。
【図２】図１に示す例の一方の支柱側の拡大側面説明図である。
【図３】図１に示す例の一部拡大平面説明図である。
【図４】図２に示す支柱側の一部拡大側面説明図である。
【図５】図４に示す例の主に連結案内手段の拡大断面説明図である。
【図６】図４に示す例の主に連結案内手段の説明図である。
【図７】図１に示す例の動作説明図である。
【符号の説明】
１　跳ね上げ式門扉
２、３　支柱
４、１３、１４、１８　一端部
６、１２、１５、２０、３５　軸部材
８、９　主アーム
１０、２３、２４　他端部
１１　扉
１６、１７　連結部材
２１、２２　補助アーム
２６　連結案内手段
２９、３０　回動力付与手段
【図１】
2004108075.tif 000003
【図２】
2004108075.tif 000004
【図３】
2004108075.tif 000005
【図４】
2004108075.tif 000006
【図５】
2004108075.tif 000007
【図６】
2004108075.tif 000008
【図７】
2004108075.tif 000009